(57)【要約】【課題】嵌合や所定範囲の回動操作で閉蓋がなされる防湿容器用のキャップにおいて、内部に装着されるメンブレム付のインナーシールの基材として、安価でかつ使用後の処分も容易な紙の使用を可能とする。【解決手段】内周に、容器側と係合する係合突部が設けられると共に、メンブレム付のインナーシールを保持する保持手段が設けられた防湿容器用のキャップ１において、前記保持手段を、下向きに傾斜した複数の弾性片１ｂと、この弾性片１ｂと所定の間隙を有して設けられた係止突部１ａとで構成し、閉蓋した際に前記保持手段で保持されたインナーシールが上記弾性片１ｂの弾性力により容器口側に付勢されるようにした。【選択図】図１
0003121514.tif 000002
【実用新案登録請求の範囲】
【請求項１】
嵌合、あるいは所定範囲の回動操作により、容器口の閉蓋がなされ、内容物充填後の施蓋の際、容器口を密閉するメンブレムの取り付けが同時になされるようにした防湿容器用のキャップにおいて、
上記キャップは、内周に容器口の係合部との係合用の係合突部が設けられると共に、メンブレム付のインナーシールを保持するための保持手段が設けられ、該保持手段は、下向きに傾斜した複数の弾性片と、該弾性片と所定の間隙を有して設けられた係止突部とで構成され、閉蓋時に、紙を主体として構成されたインナーシールを、容器口側に付勢するようになされたことを特徴とする防湿容器用のキャップ。
【考案の詳細な説明】
【技術分野】
【０００１】
本考案は、瓶口にメンブレムと称されるアルミ箔が貼着され、内容物が湿ったり、酸化したりすることがないように、気密に保持するようにした防湿容器用のキャップに関し、詳しくは、瓶口にワンタッチで装着される構造を有し、製造時の施蓋により、メンブレムの取り付けが自動的に行えるようにしたものに関する。
【背景技術】
【０００２】
一般にインスタントコーヒーやミルクパウダー、ココアなどの湿気を嫌うものは、図７に示すように気密性や防湿性に優れたガラス製の防湿容器３０内に収容され、その瓶口３０ａには、メンブレムと称されるアルミ箔２ｂが貼着され、内容物を気密に密閉保持するようになっている。
【０００３】
ここにおいて、瓶口３０ａをメンブレム２ｂで塞ぐ作業は、予めキャップ１０の裏面に、メンブレム付のインナーシール２を装着しておき、容器３０内に内容物を充填した後、図６に示すようにキャップ１０を瓶口３０ａに取り付け、この状態で高周波照射などの手段により、メンブレムの裏面（容器口側）に施されたホットメルトなどの接着手段を溶融させ、瓶口に一体的に溶着させることにより、行われるようになっていた。
【０００４】
上記のインナーシール２は、図８に示すように基材２ａがポリオレフィン発泡体などの発泡材で構成されており、その裏面（図８において下側）には、剥離層２ｃを介してメンブレムとなるアルミニウム箔２ｂが一体的に貼り付けられている。また、このアルミニウム箔２ｂの裏面（図８において下側）には、ポリエチレンなどの層２ｄを介してホットメルトやシーラントなどの接着手段２ｅが設けられている。なお、図８において符号２ｆは、インナーシール基材２ａと剥離層２ｃとの間に設けられたポリオレフィンやポリプロピレンの層を示す。
【０００５】
したがって、製造時の施蓋により、瓶口３０ａを塞ぐように、その上端面に一度接着されたメンブレム２ｂは、容易に剥がれることはなく、開蓋操作によりキャップ１０が瓶口３０ａから離れる方向に動かされると、メンブレム２ｂは、図７に示すように、キャップ１０に取り付けられたインナーシール基材２ａと剥離層２ｃから剥がれ、瓶口３０ａに残るようになっている。よって、使用の際には、瓶口３０ａを塞いだアルミ箔２ｂを破って開封し、内容物を取り出せば良く、使用後は、キャップ１０を被せることにより、瓶口３０ａにインナーシール基材２ａが圧接し、メンブレム２ｂによる当初の気密性は失われるが、ある程度の密閉度を持って内容物が密閉保持されるようになっている。
【０００６】
従来、このように最初に施蓋した際に、メンブレム２ｂの取り付けが同時に行えるようにしたキャップ１０としては、例えば、螺合により瓶口に取り付けられるようにしたねじ式のキャップ（例えば、特許文献１参照）や、ワンタッチで容器口に嵌合するようにした所謂スナップ・オン・キャップと称せられるもの（例えば、特許文献２参照）があった。
【特許文献１】特開２０００−３４４２６９公報（第４頁、図２）
【特許文献２】特開２０００−２３８８１３公報（第３頁、図３）
【考案の開示】
【考案が解決しようとする課題】
【０００７】
上述した従来の防湿容器用のキャップは、いずれも製造時のメンブレムの瓶口への密着性と、開蓋後の瓶口の密閉度を考慮し、裏面に装着されるインナーシールは、その基材が、発泡体などの弾性力を有するもので構成されていた。しかしながら、この種の防湿容器用のキャップは、再利用が困難で、使用後は、一般にゴミとして廃棄されるため、環境面から望ましいものではなく、インナーシール基材も環境への影響が少なく、かつ、内容物に影響を及ぼすことのないもので構成することが望まれていた。
【０００８】
そこで、蓋の裏面に取り付けられるインナーシール基材を紙材で構成することが考えられるが、この場合、紙は殆ど弾性を有しないため、瓶口への密着性が悪く、特にスナップ・オン・キャップや位置決めキャップのようにワンタッチで瓶口に取り付けられるものは、ねじ式キャップのようにねじ込みにより、キャップを瓶口に押し付けることができないので、瓶口との間に隙間を生じ易く、メンブレムの接着不良が生じるおそれがあった。
【０００９】
また、開封後の使用の際も容器口の密閉度が低く、内容物が酸化したり、変質したりするおそれも高くなるという問題点を有していた。
【００１０】
本考案は、上記の問題点を解決し、ねじ式以外のキャップにおいて、紙で構成されたインナーシール材の使用を可能とするものである。
【課題を解決するための手段】
【００１１】
上記の問題点を解決するために、本考案では、嵌合、あるいは所定範囲の回動操作により、容器口の閉蓋がなされ、内容物充填後の施蓋の際、容器口を密閉するメンブレムの取り付けが同時になされるようにした防湿容器用のキャップにおいて、キャップの内周に、容器口の係合部と係合する係合突部を設けると共に、メンブレム付のインナーシールを保持する保持手段を設け、かつ、この保持手段を、下向きに傾斜した複数の弾性片と、この弾性片と所定の間隙を有して設けられた係止突部とで構成した。このことで、閉蓋時にインナーシールが、上記弾性片の弾性付勢力により容器口側に押し付けられるようにし、上記の問題点を解決した。
【考案の効果】
【００１２】
上述したように本考案では、インナーシールを保持する保持手段を、下向きに傾斜した複数の弾性片と、この弾性片と所定の間隙を有して設けられた係止部とで構成し、保持されたインナーシールに下向きの付勢力が作用するようにしたので、弾性力のないインナーシール基材を用いてもメンブレムを確実に容器口の上端面に圧接させることができる。
【００１３】
よって、製造時にメンブレムの貼着不良が生じるおそれがなく、また、開封後も容器を高い密閉度で閉蓋することができる。さらに、このようにインナシール基材として安価で、かつ廃棄処理も容易な紙を使用することができるので、製造コストが削減されると共に、廃棄する際も環境への悪影響が最低限に抑えられるという効果がある。
【考案を実施するための最良の形態】
【００１４】
以下、本考案を図示した実施の形態に基づき詳細に説明する。なお、図において、背景技術として示したものと同一機能部品には、同一の符号を附している。
【００１５】
図１は、本考案の防湿容器用のキャップ１を裏面側から見た斜視図、図３は、その縦断面図である。図示したように、このキャップ１は、有蓋略円筒形で内周の所定位置に係合突部１ｅが設けられた合成樹脂の一体成形品であり、ガラス瓶などの容器３の口部３ａに被せた状態で所定範囲（角度にして約３０度）回動させることにより、この係合突部１ｅが容器口３ａの外周に設けられた部分ねじ状の係合部３ｂと係合して案内され、その終端位置に設けられた縦リブ（図示せず）を乗り越えることにより、適度のクリック感を持って閉蓋がなされるワンタッチ式の位置決めキャップと称せられる従来公知のものである。      
【００１６】
そして、このキャップ１の裏面にインナーシール２を装着できるように、その保持手段が設けられている点も従来のものと同様である。
【００１７】
ここにおいて、本考案のキャップ１では、上述したインナシール２の保持手段を、天面近傍の内周同高位置に、先端下向きに傾斜して設けられた複数の弾性片１ｂと、この弾性片１ｂの下側に（図３において下側）所定の間隙１ｄを有して平行に突設された係止突部１ａとで構成している。  なお、図において符号１ｃは、天面の裏側に、その下端が弾性片とほぼ同高位置になるように突設された突起であり、周縁が保持手段に係合したインナシール２の中央部分が不用意に上方に撓み、その係合が外れないようにしている。
【００１８】
インナシール２は、図８に示した従来のものと同様に、裏面に剥離層２ｃを介してメンブレムと称される気密シール用のアルミニウム箔２ｂを一体的に接合したものであり、図２並びに図５に示すように、その周縁部分がキャップ１内に設けられた弾性片１ｂと係止突部１ａ間の間隙１ｄに挿入されることにより、キャップ１の天板裏面に装着保持されるようになっている。なお、このメンブレム２ｂの裏面側（図８において下側）にも従来と同様に、ポリエチレンなどの層２ｄを介してホットメルトやシーラントなどの接着手段２ｅが設けられている。
【００１９】
ここにおいて、本考案のキャップ１に装着されるインナシール２の基材２ａは、従来使用されていたような弾性を有する発泡体ではなく、表面コーティングを施した厚紙のように、紙を主体として形成されたものである。
【００２０】
本考案の防湿容器用のキャップ１は、上記の構成を有している。
【００２１】
このキャップ１は、従来のものと同様に、ガラス瓶などの防湿容器３内に内容物を充填した後、容器口３ａを覆うように被せ、回動させることにより、その内周下側に設けられた係合突部１ｅが容器口３ａの外周に設けられた分割ねじ状の係合部３ｂと係合して下方に案内され、やがて、係合突部１ｅが係合部３ａの終端位置に設けられた縦リブ（図示せず）を乗り越えることにより、適度のクリック感を伴って停止し、閉蓋がなされる。このとき、キャップ１は、係合突部１ｅがねじ状の係合部３ｂと係合することにより、下側に移動するように案内される。よって、キャップ１の裏面のインナーシール２は、容器口３ａの上端面に押し付けられることとなる。その際、上述したように本考案の防湿容器用のキャップ１では、インナーシール２は、その上側が保持手段の弾性片１ｂで弾力的に保持されているので、傾くことなく、容器口３ａの上端面に一定の圧力で均等に接する。よって、この状態で高周波を照射することなどにより、メンブレム２ｂの裏面に塗布されたホットメルトやシーラントなどの接着手段２ｅを溶融させれば、メンブレム２ｂは、容器口３ａを密閉するように、その上端面に一体的に接着される。
【００２２】
このようにして、容器３の口部３ａが気密に塞がれ、インスタントコーヒーやミルクパウダーなどの収容物が、購買者の手元に渡って開封されるまで、湿ったり変質したりすることがないように安全に保持されるものである。
【００２３】
そして、購買者の手元に渡って使用を開始する際に、キャップ１を容器口３ａから外すためにキャップ１を捻じると、容器３の内周に設けられた係合突部１ｅが容器口３ａの縦リブを乗り越え、この縦リブに連続した係合部３ｂと係合し、容器口３ａと離れる方向に案内される。このとき、キャップ裏面のインナシール２は、その周端面が弾性片１ｂと係止突部１ａとの間で横方向（周方向）に移動可能に保持され、かつインナシール２裏面のメンブレム２ｂが容器口３ａに接着されているため、ある程度は、キャップ１のみが回動し、やがて、キャップ１の上昇に伴ってインナシール２が係止突部１ａと接して容器口３ａから離れる方向に引き上げられることとなる。この時、メンブレム２は接着手段により容器口３ａに強固に接着されているため、インナシール基材２ａと接着力の弱い剥離層２ｃから剥がれ、容器口３ａに残ることとなる。
【００２４】
よって、その後は、このメンブレム２ｂを開封することにより、内容物の取り出しが可能となるものである。
【００２５】
そして、このようにして使用した後は、従来のものと同様にキャップ１を容器口３ａに被せ、所定の範囲回動させれば、内周の係合突部１ｅが容器口３の係合部３ｂと係合して案内され、縦リブを乗り越えた位置で停止することにより閉蓋がなされる。この時、厚紙で構成されたインナシール基材２ａは、それ自体は殆ど弾性を有しないが、保持手段の弾性片１ｂの弾性力により、容器口３ａを塞ぐ方向に付勢され、容器口３ａの上端面に均等に接するように押圧されることとなる。よって、開封後の容器口３ａの密閉が、パッキンなどの高価な部材を用いることなくなされる。また、本考案のキャップ１では、インナシール基材２ａを紙で構成したので、容器３内に収容された内容物と化学的な反応を起こすおそれがなく、安全であり、また、各種の化学物質に対してアレルギーのある人にとっても、その影響が最小限に抑えられることとなり望ましい。
【００２６】
以上のようにして本考案の防湿容器用のキャップ１は、用いられるものである。
【００２７】
なお、上記では、メンブレム２ｂの裏面にホットメルトやシーラントなどの接着手段２ｅを予め施しておいたものを例示したが、このメンブレム２ｃは、紙を主体としたインナーシール基材２ａの裏面に剥離可能に接合され、容器口３ａの上端面に、この容器口３ａを塞ぐように接着されれば良く、例えば、施蓋前に容器口３ａの上端面に接着剤を塗布するようにすれば、上記の接着手段は、必ずしも設ける必要はない。
【００２８】
また、上記では、キャップ１として、容器口３ａに被せた後、所定範囲の回動操作で閉蓋がなされる位置決めキャップと称されるものを例示したが、本発明の紙製のインナシール２が装着されるキャップ１は、ねじ込み手段を有しないワンタッチ開閉式のものであれば良く、例えば、強制嵌合により閉蓋がなされるスナップ・オン・キャップのようなものであっても良い。
【図面の簡単な説明】
【００２９】
【図１】本考案のキャップの実施形態を示した裏面側斜視図である。
【図２】インナーシール材を装着した状態の縦断斜視図である。
【図３】図１に示したキャップの断面図である。
【図４】図１に示したキャップの裏面図である。
【図５】閉蓋状態を示した要部断面図である。
【図６】従来のキャップによるメンブレムの取付状態を示した簡略説明図である。
【図７】従来のキャップで密閉された容器の使用開始時の状態を示した説明図である。
【図８】キャップに装着されるインナシールの拡大断面図である。
【符号の説明】
【００３０】
１，１０  キャップ
１ａ  係止突部
１ｂ  弾性片
２  インナ−シール
２ａ  インナーシール基材
２ｂ  アルミ箔（メンブレム）
２ｃ  剥離層
２ｄ  ポリエチレン層
２ｅ  ＰＰ被覆
２ｆ  ホットメルト（接着手段）
３，３０  容器
【図１】
0003121514.tif 000003
【図２】
0003121514.tif 000004
【図３】
0003121514.tif 000005
【図４】
0003121514.tif 000006
【図５】
0003121514.tif 000007
【図６】
0003121514.tif 000008
【図７】
0003121514.tif 000009
【図８】
0003121514.tif 000010